(57)【要約】【課題】相手先の通信機器と接続した後に現在利用している回線網の種類を発呼した利用者に確認させることが可能な通信アダプタおよびその制御方法を提供すること。【解決手段】外部の通信機器１０によって入力された電話番号を示す情報に基づいて相手先の通信機器と通信するための回線網を選択する回線網選択手段１０４と、選択された回線網経由で電話番号に基づいて相手先の通信機器と接続し通信を制御する通信制御手段１０３と、相手先の通信機器と接続されたときに少なくとも選択された回線網の種類を示す情報を表示する表示手段１０６とからなる構成を有する。【選択図】　図１
2004032288.tif 000002
【特許請求の範囲】
【請求項１】
外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段とを備えたことを特徴とする通信アダプタ。
【請求項２】
前記表示手段は、前記通信制御手段によって専用インターネット網経由で前記相手先の通信機器と接続されたときに、少なくとも前記専用インターネット網経由で通話中である旨を示す情報を表示することを特徴とする請求項１記載の通信アダプタ。
【請求項３】
前記表示手段は、前記通信制御手段によって一般加入電話網経由で前記相手先の通信機器と接続されたときに、少なくとも前記一般加入電話網経由で通話中である旨を示す情報を表示することを特徴とする請求項１記載の通信アダプタ。
【請求項４】
前記表示手段は、前記通信制御手段によって携帯電話網経由で前記相手先の通信機器と接続されたときに、少なくとも前記携帯電話網経由で通話中である旨を示す情報を表示することを特徴とする請求項１記載の通信アダプタ。
【請求項５】
第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段とを備え、前記回線網状態判定手段は、前記通信制御手段に前記第１の電話番号を示す情報が入力されたとき、前記第１の回線網に障害があるか否かを判定し、前記発呼経路切替手段は、前記回線網状態判定手段によって前記第１の回線網に障害があると判定されたときに前記網切替制御を実行し、前記表示手段は、前記発呼経路切替手段によって網切替制御が実行されたときに少なくとも網切替制御が実行された旨を示す情報を表示することを特徴とする請求項１記載の通信アダプタ。
【請求項６】
前記発呼経路切替手段に前記網切替制御の実行を許可するか否かを入力させる操作手段を備え、前記発呼経路切替手段は、前記操作手段によって前記網切替制御の実行を許可する旨の入力があったときに、前記網切替制御を実行することを特徴とする請求項５記載の通信アダプタ。
【請求項７】
第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段とを備え、前記発呼経路切替手段は、前記第１の回線網経由で前記相手先の通信機器と接続中に、前記回線網状態判定手段によって前記第１の回線網に障害が発生したと判定されたときに、前記網切替制御を実行し、前記相手先の通信機器に前記第２の回線網経由で再接続し、前記表示手段は、前記発呼経路切替手段によって網切替制御が実行されたときに少なくとも網切替制御が実行された旨を示す情報を表示することを特徴とする請求項１記載の通信アダプタ。
【請求項８】
前記発呼経路切替手段に前記網切替制御の実行を許可するか否かを入力させる操作手段を備え、前記発呼経路切替手段は、前記操作手段に前記網切替制御の実行を許可する旨の入力があったときに、前記網切替制御を実行することを特徴とする請求項７記載の通信アダプタ。
【請求項９】
前記第１の回線網は、専用インターネット網を含み、前記第２の回線網は、一般加入電話網を含むことを特徴とする請求項５乃至請求項８の何れかに記載の通信アダプタ。
【請求項１０】
外部の通信機器によって入力された電話番号を示す情報に基づいて回線網を選択するステップと、前記選択された回線網経由で前記電話番号に基づいた相手先の通信機器と接続し、前記相手先の通信機器との通信を制御する通信ステップと、前記相手先の通信機器と接続されたときに少なくとも前記選択された回線網の種類を示す情報を表示する表示ステップとを備えたことを特徴とする通信アダプタ制御方法。
【発明の詳細な説明】
【０００１】
【発明の属する技術分野】
本発明は電話機等の通信機器を接続して専用インターネット網等を経由して相手先の通信機器と通信させる通信アダプタおよびその制御方法に関するものであある。
【０００２】
【従来の技術】
従来、電話機等の通信機器を接続してインターネット網経由で通信を行う通信アダプタとしては、例えば、特開平１１―２７５２５６号公報に開示されたものが知られている。
ここで、インターネット網経由による電話をインターネット電話といい、インターネットプロトコル（以下、ＩＰという。）に準拠した通信を行う点では同様の電話サービスである、専用インターネット網経由による電話をＩＰ電話という。
【０００３】
図７に示す従来の通信アダプタ７１０は、電話機７２０からのオフフックや相手先の通信機器の電話番号を受信する受信手段７１１と、サーバ７４０に対してダイヤルアップを行うダイヤル手段７１２と、上記電話番号等を一般加入電話網７３０経由でサーバ７４０に送信する送信手段７１３とによって構成される。
【０００４】
また、通信アダプタ７１０は、電話機７２０からの制御信号によって、サーバ７４０およびインターネット網７５０を経由せずに、一般加入電話網７３０経由で相手先の通信機器と通信させる。
【０００５】
この構成により、通信アダプタ７１０は、インターネット網７５０経由で電話をかける際の操作を少なくする機能を有し、さらに電話機への所定の操作でインターネット網７５０経由と一般加入電話網７３０経由とで接続することを選択できる機能を有している。
【０００６】
【発明が解決しようとする課題】
しかし、このような従来の通信アダプタ７１０では、電話機への所定の操作でインターネット網７５０経由と一般加入電話網７３０経由とで接続することを選択できるものの、発呼した利用者は通話途中に上記いずれかの回線網を現在利用しているのかを確認できないという問題があった。
【０００７】
本発明は、このような問題を解決するためになされたもので、相手先の通信機器と接続した後に現在利用している回線網の種類を発呼した利用者に確認させることが可能な通信アダプタおよびその制御方法を提供するものである。
【０００８】
【課題を解決するための手段】
本発明の通信アダプタは、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段とを備えた構成を有している。この構成により、少なくとも相手先と接続した回線網の種類を示す情報を表示するため、相手先と接続した後に現在利用している回線網の種類を発呼した利用者に確認させることが可能である。
【０００９】
また、本発明の通信アダプタは、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段とを備え、前記表示手段は、前記通信制御手段によって専用インターネット網経由で前記相手先の通信機器と接続されたときに、少なくとも前記専用インターネット網経由で通話中である旨を示す情報を表示する構成を有している。この構成により、少なくとも相手先と前記専用インターネット網経由で接続されている旨の情報を表示するため、相手先と接続した後に現在利用している回線網の種類を発呼した利用者に確認させることが可能である。
【００１０】
また、本発明の通信アダプタは、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段とを備え、前記表示手段は、前記通信制御手段によって一般加入電話網経由で前記相手先の通信機器と接続されたときに、少なくとも前記一般加入電話網経由で通話中である旨を示す情報を表示する構成を有している。この構成により、少なくとも相手先と前記一般加入電話網経由で接続されている旨の情報を表示するため、相手先と接続した後に現在利用している回線網の種類を発呼した利用者に確認させることが可能である。
【００１１】
また、本発明の通信アダプタは、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段とを備え、前記表示手段は、前記通信制御手段によって携帯電話網経由で前記相手先の通信機器と接続されたときに、少なくとも前記携帯電話網経由で通話中である旨を示す情報を表示する構成を有している。この構成により、少なくとも相手先と前記携帯電話網経由で接続されている旨の情報を表示するため、相手先と接続した後に現在利用している回線網の種類を発呼した利用者に確認させることが可能である。
【００１２】
また、本発明の通信アダプタは、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段と、第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段とを備え、前記回線網状態判定手段は、前記通信制御手段に前記第１の電話番号を示す情報が入力されたとき、前記第１の回線網に障害があるか否かを判定し、前記発呼経路切替手段は、前記回線網状態判定手段によって前記第１の回線網に障害があると判定されたときに前記網切替制御を実行し、前記表示手段は、前記発呼経路切替手段によって網切替制御が実行されたときに少なくとも網切替制御が実行された旨を示す情報を表示する構成を有している。この構成により、相手の通信機器と接続する場合に、回線網に障害があるか否かを検出し、回線網に障害が検出されたときに、相手の通信機器と他の回線網経由で接続し、少なくとも前記他の回線網経由で相手の通信機器と接続した旨を表示手段に表示させるため、他の回線網に切り替えて接続されたことを発呼した利用者に確認させることが可能である。
【００１３】
また、本発明の通信アダプタは、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段と、第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段と、前記発呼経路切替手段に前記網切替制御の実行を許可するか否かを入力させる操作手段とを備え、前記回線網状態判定手段は、前記通信制御手段に前記第１の電話番号を示す情報が入力されたとき、前記第１の回線網に障害があるか否かを判定し、前記発呼経路切替手段は、前記回線網状態判定手段によって前記第１の回線網に障害があると判定され、前記操作手段によって前記網切替制御の実行を許可する旨の入力があったときに前記網切替制御を実行し、前記表示手段は、前記発呼経路切替手段によって網切替制御が実行されたときに少なくとも網切替制御が実行された旨を示す情報を表示する構成を有している。この構成により、相手の通信機器と接続するときに、回線網に障害があるか否かを検出し、回線網に障害が検出され、相手の通信機器と他の回線網経由で接続するときに、少なくとも前記他の回線網経由で相手の通信機器と接続する旨を表示手段に表示させるため、他の回線網に切り替えて接続するか否かを発呼した利用者に確認させることが可能である。
【００１４】
また、本発明の通信アダプタは、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段と、第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段とを備え、前記発呼経路切替手段は、前記第１の回線網経由で前記相手先の通信機器と接続中に、前記回線網状態判定手段によって前記第１の回線網に障害が発生したと判定されたときに、前記網切替制御を実行し、前記相手先の通信機器に前記第２の回線網経由で再接続し、前記表示手段は、前記発呼経路切替手段によって網切替制御が実行されたときに少なくとも網切替制御が実行された旨を示す情報を表示する構成を有している。この構成により、相手の通信機器と接続している回線網に障害があるか否かを検出し、回線網に障害が検出されたときに、相手の通信機器と他の回線網経由で接続し、少なくとも前記他の回線網経由で相手の通信機器と再接続した旨を表示手段に表示させるため、他の回線網に切り替えて接続された状態であることを発呼した利用者に確認させることが可能である。
【００１５】
また、本発明の通信アダプタは、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段と、第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段と、前記発呼経路切替手段に前記網切替制御の実行を許可するか否かを入力させる操作手段とを備え、前記発呼経路切替手段は、前記第１の回線網経由で前記相手先の通信機器と接続中に、前記回線網状態判定手段によって前記第１の回線網に障害が発生したと判定され、前記操作手段に前記網切替制御の実行を許可する旨の入力があったときに、前記網切替制御を実行し、前記相手先の通信機器に前記第２の回線網経由で再接続し、前記表示手段は、前記発呼経路切替手段によって網切替制御が実行されたときに少なくとも網切替制御が実行された旨を示す情報を表示する構成を有している。この構成により、相手の通信機器と接続している回線網に障害があるか否かを検出し、回線網に障害が検出され、相手の通信機器と他の回線網経由で接続するとき、少なくとも前記他の回線網経由で相手の通信機器と再接続する旨を表示手段に表示させるため、他の回線網に切り替えて接続するか否かを発呼した利用者に確認させることが可能である。
【００１６】
また、本発明の通信アダプタは、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段と、第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段とを備え、前記回線網状態判定手段は、前記通信制御手段に前記第１の電話番号を示す情報が入力されたとき、前記第１の回線網に障害があるか否かを判定し、前記発呼経路切替手段は、前記回線網状態判定手段によって前記第１の回線網に障害があると判定されたときに前記網切替制御を実行し、前記表示手段は、前記発呼経路切替手段によって網切替制御が実行されたときに少なくとも網切替制御が実行された旨を示す情報を表示する構成を有し、または、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段と、第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段と、前記発呼経路切替手段に前記網切替制御の実行を許可するか否かを入力させる操作手段とを備え、前記回線網状態判定手段は、前記通信制御手段に前記第１の電話番号を示す情報が入力されたとき、前記第１の回線網に障害があるか否かを判定し、前記発呼経路切替手段は、前記回線網状態判定手段によって前記第１の回線網に障害があると判定され、前記操作手段によって前記網切替制御の実行を許可する旨の入力があったときに前記網切替制御を実行し、前記表示手段は、前記発呼経路切替手段によって網切替制御が実行されたときに少なくとも網切替制御が実行された旨を示す情報を表示する構成を有し、または、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段と、第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段とを備え、前記発呼経路切替手段は、前記第１の回線網経由で前記相手先の通信機器と接続中に、前記回線網状態判定手段によって前記第１の回線網に障害が発生したと判定されたときに、前記網切替制御を実行し、前記相手先の通信機器に前記第２の回線網経由で再接続し、前記表示手段は、前記発呼経路切替手段によって網切替制御が実行されたときに少なくとも網切替制御が実行された旨を示す情報を表示する構成を有し、または、外部の通信機器によって入力された電話番号を示す情報に基づいて相手先の通信機器と通信するための回線網を選択する回線網選択手段と、前記選択された回線網経由で前記電話番号に基づいて前記相手先の通信機器と接続し、前記相手先の通信機器との通信を制御する通信制御手段と、前記相手先の通信機器と接続されたときに少なくとも前記選択された回線網の種類を示す情報を表示する表示手段と、第１の回線網経由で前記相手先の通信機器に接続するための電話番号である第１の電話番号を示す情報と第２の回線網経由で前記相手先の通信機器に接続するための電話番号である第２の電話番号を示す情報とを対応させて格納した記憶手段と、前記第１の回線網に障害が発生したか否かを判定する回線網状態判定手段と、前記記憶手段から前記第１の電話番号に基づいて前記第２の電話番号を検出し、前記検出された第２の電話番号に基づいて前記第２の回線網経由で前記相手先の通信機器と接続する網切替制御を実行する発呼経路切替手段と、前記発呼経路切替手段に前記網切替制御の実行を許可するか否かを入力させる操作手段とを備え、前記発呼経路切替手段は、前記第１の回線網経由で前記相手先の通信機器と接続中に、前記回線網状態判定手段によって前記第１の回線網に障害が発生したと判定され、前記操作手段に前記網切替制御の実行を許可する旨の入力があったときに、前記網切替制御を実行し、前記相手先の通信機器に前記第２の回線網経由で再接続し、前記表示手段は、前記発呼経路切替手段によって網切替制御が実行されたときに少なくとも網切替制御が実行された旨を示す情報を表示する構成を有し、さらに、前記第１の回線網は、専用インターネット網を含み、前記第２の回線網は、一般加入電話網を含む構成を有している。この構成により、相手の通信機器と接続する専用インターネット網に障害が検出されたときに、一般加入電話網経由で接続等した旨を表示手段に表示させるため、一般加入電話網経由で接続されたことを発呼した利用者に確認させることが可能である。
【００１７】
また、本発明の通信アダプタ制御方法は、外部の通信機器によって入力された電話番号を示す情報に基づいて回線網を選択するステップと、前記選択された回線網経由で前記電話番号に基づいた相手先の通信機器と接続し、前記相手先の通信機器との通信を制御する通信ステップと、前記相手先の通信機器と接続されたときに少なくとも前記選択された回線網の種類を示す情報を表示する表示ステップとを備えた構成を有している。この構成により、少なくとも相手先と接続した回線網の種類を示す情報を表示するため、相手先と接続した後に現在利用している回線網の種類を発呼した利用者に確認させることが可能である。
【００１８】
【発明の実施の形態】
以下、本発明の実施の形態について、図面を用いて説明する。
（第１の実施の形態）
図１に示すように、本発明の第１の実施の形態の通信アダプタ１００は、外部の電話機等の通信機器１０を制御する通信機器制御手段１０１、通信機器１０と送受信する信号を所定の信号に変換するコーデック手段１０２、回線網に応じた通信の制御をする通信制御手段１０３、通信する回線網を選択する回線網選択手段１０４、通信制御手段１０３を制御するためのパラメータ等を格納する記憶手段１０５、通信状態等を表示する表示手段１０６、通信制御手段１０３を制御するためのパラメータ等を入力させる操作手段１０７、および、回線網側でのデータの送受信を行う通信手段１０８を備えている。
【００１９】
また、図２は、本発明の第１の実施の形態の通信アダプタ１００を用いた通信形態例の概略のブロック構成を示す図である。
図２に示すように、通信アダプタ１００は、接続された通信機器１０から専用インターネット網６５０経由の接続要求があった場合、通信アダプタ１００の回線網側に設けられたモデム等の回線終端装置６２０、交換局６３０、インターネットサービスプロバイダ６４０、および専用インターネット網６５０経由で相手先の通信機器と接続される。
【００２０】
また、通信アダプタ１００は、接続された通信機器１０から一般加入電話網６６０経由の接続要求があった場合、通信アダプタ１００の回線網側に設けられたモデム等の回線終端装置６２０、交換局６３０、および一般加入電話網６６０経由で相手先の通信機器と接続される。
【００２１】
また、通信アダプタ１００は、接続された通信機器１０から携帯電話との接続要求があった場合、通信アダプタ１００の回線網側に設けられたモデム等の回線終端装置６２０、交換局６３０、および携帯電話網６７０経由で相手先の通信機器と接続される。
【００２２】
このように、通信アダプタ１００は、接続された通信機器１０による要求に応じて回線網を選択し、選択された回線網経由で通信機器１０と相手先の通信機器との間の通信をさせる機能を有している。
以下、本発明の第１の実施の形態の通信アダプタ１００の各構成手段の動作を説明する。
【００２３】
通信機器制御手段１０１は、外部の電話機等の通信機器１０と接続され、通信機器１０と通信制御手段１０３との間で信号の送受信をする手段である。
ここで、通信機器制御手段１０１と通信機器１０とで送受信される信号は、相手先の通信機器の電話番号を示す信号、発呼信号や応答信号等の通信機器用の通信制御信号、または音声信号やデータ等の情報を示すデータ信号等である。
【００２４】
また、通信機器制御手段１０１は、通信制御手段１０３によって出力された通信制御信号およびデータ信号を入力とし、入力された通信制御信号に応じて通信機器１０を制御するための機器制御信号を生成し、生成された機器制御信号およびデータ信号を通信機器１０に出力する手段である。
【００２５】
コーデック手段１０２は、通信機器制御手段１０１によって入力された信号に含まれるアナログの音声等の信号を入力とし、入力された信号をディジタルの信号にアナログディジタル変換（以下、Ａ／Ｄ変換という。）し、Ａ／Ｄ変換されたディジタルの信号を通信機器制御手段１０１に出力する手段である。
【００２６】
また、コーデック手段１０２は、通信機器制御手段１０１によって出力されたディジタルの信号を入力とし、入力された信号をアナログの信号にディジタルアナログ変換（以下、Ｄ／Ａ変換という。）し、Ｄ／Ａ変換されたアナログの信号を通信機器制御手段１０１に出力する手段である。
なお、コーデック手段１０２は、通信機器１０がディジタルの信号を送受信する装置であるときは除くことができる。
【００２７】
通信制御手段１０３は、通信機器制御手段１０１によって入力された通信制御信号に含まれる電話番号を示す情報を入力とし、入力された電話番号を示す情報を回線網選択手段１０４に出力する手段である。
【００２８】
また、通信制御手段１０３は、出力した電話番号を示す情報に応じて回線網選択手段１０４によって出力された、電話番号を示す情報に基づいて選択された回線網を示す情報を入力とし、入力された回線網を示す情報に基づいて回線を接続するための制御信号（以下、接続制御信号という。）を生成し、生成された接続制御信号を通信手段１０８に出力する。
ここで、通信制御手段１０３は、接続制御信号を生成するための、記憶手段１０５に格納された情報から必要なパラメータ等を取得する。
【００２９】
通信制御手段１０３は、出力した接続制御信号に応じて通信手段１０８によって相手先の通信機器と接続された後に、入力された情報に含まれる回線網を示す情報を表示手段１０６に出力すると共に、通信機器制御手段１０１と通信手段１０８との間で信号の入出力を行う。
【００３０】
さらに、通信制御手段１０３は、通信機器制御手段１０１経由で通信機器１０によって入力された切断要求を示す制御信号（以下、切断制御信号という。）を通信手段１０８に出力し、切断制御信号に応じて通信手段１０８によって回線の切断が完了したときに、回線の切断が完了した旨の情報を表示手段１０６に出力する。
【００３１】
回線網選択手段１０４は、通信制御手段１０３によって出力された電話番号を示す情報を入力とし、入力された電話番号を示す情報に基づいて回線網を選択し、選択された回線網を示す情報を通信制御手段１０３に出力する手段である。
【００３２】
ここで、回線網選択手段１０４によって選択される回線網の種類は、専用インターネット網、一般加入電話網、および携帯電話網等である。
回線網選択手段１０４による回線網の選択は、入力された情報に示される電話番号の最初の数桁の情報に基づくのでもよいし、記憶手段１０５にあらかじめ回線網別に格納された電話番号を示す情報との比較によるものでもよい。
【００３３】
なお、回線網選択手段１０４は、入力された電話番号を示す情報に基づいて回線網を選択すると上記で説明したが、所定の操作によって通信機器から回線網の種類を示す信号を入力させ、通信機器制御手段１０１および通信制御手段１０３経由で回線網の種類を示す信号を入力し、入力された回線網の種類を示す信号に応じて回線網を選択するのでもよい。
また、回線網選択手段１０４は、操作手段１０７から回線網の種類を指定する旨が入力されたとき、回線網を選択するのでもよい。
【００３４】
記憶手段１０５は、通信制御手段１０３によって参照される、回線を接続するための接続制御信号を生成するための情報等を格納する手段である。
表示手段１０６は、通信制御手段１０３によって出力された回線網を示す情報や回線の切断が完了した旨の情報等の通信状態を示す情報等を入力とし、入力された通信状態を示す情報等を表示する手段である。
【００３５】
図３は、表示手段１０６の表示例を示す図である。
図３（ａ）から図３（ｃ）までは、通信機器１０が通信アダプタ１００によって相手先の通信機器と接続されている場合の表示例であり、図３（ａ）は、専用インターネット網経由で接続されている場合、図３（ｂ）は、携帯電話網経由で接続されている場合、図３（ｃ）は、専用インターネット網および一般加入電話網経由で接続されている場合を示している。
また、図３（ｄ）は、通信機器１０が通信アダプタ１００によって接続された相手先の通信機器との接続が切断された場合の表示例である。
【００３６】
なお、通信制御手段１０３は、回線網を示す情報等の通信状態を示す情報を記憶手段１０５に格納しておき、操作手段１０７によって通信状態を示す情報を表示させる旨の入力があったとき、表示手段１０６は、記憶手段１０５に格納されている情報に基づいて回線網を示す情報を表示するのでもよい。
【００３７】
これにより、表示手段１０６は、回線網を示す情報とは異なる他の情報を表示した後に、再び上記の回線網を示す情報を表示できる。
操作手段１０７は、通信制御手段１０３を制御するためのＩＰ電話の接続に関するパラメータ等の情報を入力させ、入力された情報を通信制御手段１０３に出力する手段である。
【００３８】
通信手段１０８は、通信制御手段１０３によって出力された回線網を示す情報と接続制御信号または切断制御信号とを入力とし、入力された接続制御信号に基づいて入力された情報に示される回線網経由で相手先の通信機器と接続し、接続された相手先の通信機器と通信制御手段１０３との間で信号の送受信を行う手段である。
さらに、通信手段１０８は、内部にモデム等の回線終端装置やスプリッタ等を有してもよい。
【００３９】
以上に説明した、通信アダプタ１００は、さらに、コンピュータ等を接続するためのインタフェイスである１０ＢＡＳＥ−Ｔや１００ＢＡＳＥ−ＴＸ等の通信規格に準拠したインタフェイス、およびコンピュータ間でルーティング制御を行うルータ機能等を有してもよい。
【００４０】
図４は、本発明の第１の実施の形態の通信アダプタ制御方法における処理の流れを示すフローチャートである。
【００４１】
通信機器制御手段１０１は、通信機器１０によって送信された接続要求および、相手先の通信機器の電話番号を示す情報を受信する（Ｓ１０１）。
回線網選択手段１０４は、ステップＳ１０１で受信された相手先の通信機器の電話番号を示す情報に基づいて回線網を選択する（Ｓ１０２）。
通信制御手段１０３は、ステップＳ１０２で選択された回線網経由で相手先の通信機器と接続する（Ｓ１０３）。
【００４２】
表示手段１０６は、少なくともステップＳ１０３で選択された回線網の種類を示す情報を表示する（Ｓ１０４）。
通信制御手段１０３は、通信機器１０による上記接続の切断要求があるか否かに応じて処理を分岐し、切断要求がある場合は、処理はステップＳ１１０に進み、切断要求がない場合は処理はステップＳ１０９に戻る（Ｓ１０９）。
【００４３】
通信制御手段１０３は、上記接続の切断を行う（Ｓ１１０）。
表示手段１０６は、少なくとも上記接続が切断された旨を示す情報を表示する（Ｓ１１１）。
【００４４】
以上説明したように、本発明の第１の実施の形態の通信アダプタおよびその制御方法は、少なくとも相手先と接続した回線網の種類を示す情報を表示するため、相手先と接続した後に現在利用している回線網の種類を発呼した利用者に確認させることが可能である。
【００４５】
（第２の実施の形態）
図５は、本発明の第２の実施の形態の通信アダプタ２００のブロック構成を示す図である。
通信アダプタ２００は、外部の電話機等の通信機器１０を制御する通信機器制御手段１０１、通信機器１０と送受信する信号を所定の信号に変換するコーデック手段１０２、回線網に応じた通信の制御をする通信制御手段１０３、通信する回線網を選択する回線網選択手段１０４、通信制御手段１０３を制御するためのパラメータ等を格納する記憶手段２０５、通信状態等を表示する表示手段２０６、通信制御手段１０３を制御するためのパラメータ等を入力させる操作手段１０７、回線網側でのデータの送受信を行う通信手段１０８、発呼経路を他の回線網に切り替える発呼経路切替手段２０９、および、回線網の状態を監視する回線網状態判定手段２１０を備えている。
【００４６】
なお、本発明の第２の実施の形態の通信アダプタ２００を構成する構成手段のうち、上記本発明の第１の実施の形態の通信アダプタ１００における構成手段と同様の処理を行うものには同一の符号を付し、その説明を省略する。
【００４７】
記憶手段２０５は、通信制御手段１０３によって参照される、回線を接続するための制御信号を生成するための情報等を格納すると共に、相手先の通信機器に各回線網経由で接続するための電話番号を示す情報を対応させて格納する手段である。
【００４８】
発呼経路切替手段２０９は、回線網状態判定手段２１０によって出力された回線網に障害があるか否かを示す情報を入力とし、入力された情報に回線網に障害がある旨の情報が含まれていたときに、網切替制御を実行すると共に、網切替制御を実行した旨の情報を表示手段２０６に出力する手段である。
【００４９】
ここで、網切替制御とは、上記回線網経由で相手先の通信装置と接続するための電話番号を示す情報に基づいて記憶手段２０５に格納されている他の回線網経由で相手先の通信装置と接続するための電話番号を示す情報を取得し、上記電話番号を示す情報を取得できたときは、取得した電話番号を示す情報に基づいて上記他の回線網経由で相手先の通信機器と再接続する制御である。
【００５０】
また、網切替制御を実行するとき、発呼経路切替手段２０９は、回線網選択手段１０４に上記他の回線網を示す情報を出力し、回線網選択手段１０４によって上記他の回線網を選択させ、記憶手段２０５から得た電話番号を示す情報を通信制御手段１０３に出力し、通信制御手段１０３によって相手先の通信機器と再接続させるのでもよい。
【００５１】
表示手段２０６は、通信制御手段１０３によって出力された回線網を示す情報や回線の切断が完了した旨の情報等の通信状態を示す情報等または発呼経路切替手段２０９によって出力された網切替制御を実行した旨の情報とを入力とし、入力された通信状態を示す情報等または入力された網切替制御を実行した旨の情報等を表示する手段である。
【００５２】
図３は、表示手段２０６の表示例を示す図である。
図３（ｅ）は、通信機器１０が通信アダプタ２００によって専用インターネット網経由で相手先の通信機器と接続されている場合、専用インターネット網の障害が検出され、一般加入電話網経由で再接続された場合の表示例である。
【００５３】
回線網状態判定手段２１０は、通信制御手段１０３経由で試験信号を送受信するなどして回線網に障害が発生したか否かを判定し、判定された結果を示す情報を生成し、生成された情報を発呼経路切替手段２０９に出力する手段である。
【００５４】
上記で説明した、通信アダプタ２００は、相手先の通信機器と接続されている状態で、回線網の障害を検出したときに他の回線網経由で再接続するが、相手先の通信機器と上記回線網経由の接続が要求されたときに、上記回線網に障害があるか否かを判定し、上記回線網に障害があると判定した場合、上記網切替制御によって他の回線網経由で相手先の通信機器と接続するのでもよい。
【００５５】
また、通信アダプタ２００は、上記網切替制御を実行する前に、表示手段２０６に網切替制御を実行するか否かを示す情報を表示させ、操作手段１０７によって網切替制御を許可する旨が入力されたときに、発呼経路切替手段２０９に網切替制御を実行させるのでもよい。
【００５６】
図６は、本発明の第２の実施の形態の、通信アダプタ制御方法における処理の流れを示すフローチャートである。なお、本発明の第２の実施の形態の通信アダプタ制御方法の処理のうち、上記本発明の第１の実施の形態の通信アダプタ制御方法における処理と同様なものには同一の符号を付し、その説明を省略する。
【００５７】
以下で説明する処理に先立って、記憶手段２０５には、相手先の通信機器に各回線網経由で接続するための電話番号を示す情報があらかじめ格納されている。
【００５８】
ステップＳ１０４で回線網種類を表示した後、回線網状態判定手段２１０は、試験信号を送受信するなどして回線網に障害が発生したか否かに応じて処理を分岐し、回線網が正常であると判定された場合は、処理はステップＳ２０９に進み切断要求の有無を検出し、回線網が以上であると判定された場合は、処理はステップＳ２０６に移る（Ｓ２０５）。
【００５９】
通信制御手段１０３は、通信機器１０による上記接続の切断要求があるか否かに応じて処理を分岐し、切断要求がある場合は、処理はステップＳ１１０に進み、回線を切断し、切断要求がない場合は処理はステップＳ２０５に戻る（Ｓ２０９）。
発呼経路切替手段２０９は、網切替制御を行うか否かによって処理を分岐し、網切替制御を行う場合は、処理はステップＳ２０７に進み、網切替制御を行わない場合は、処理はステップＳ１１０に移り、回線を切断する（Ｓ２０６）。
【００６０】
ここで、ステップＳ２０６で網切替制御を行うか否かの判断は、表示手段２０６に網切替制御を実行するか否かを示す情報を表示させ、操作手段１０７によって網切替制御を許可する旨が入力されたときに、網切替制御を実行するとしてもよい。
【００６１】
発呼経路切替手段２０９は、相手先の通信装置と接続するための電話番号を示す情報に基づいて記憶手段２０５に格納されている他の回線網経由で相手先の通信装置と接続するための電話番号を示す情報を検出し、電話番号を示す情報を検出できたか否かに応じて処理を分岐し、電話番号を示す情報を検出できた場合は、処理はステップＳ２０８に進み、電話番号を示す情報を検出できなかった場合は、処理はステップＳ１１０に移り、回線を切断する（Ｓ２０７）。
【００６２】
また、ステップＳ２０７で電話番号を示す情報を検出できなかった場合に、電話番号を示す情報を検出できなかった旨の情報を表示手段２０６に表示させてもよい。
ここで、以上に説明したステップＳ２０６とＳ２０７とにおける処理の順序を入れ換えて、電話番号を示す情報を検出できたときに、網切替制御を実行させるか否かを決定させてもよい。
【００６３】
発呼経路切替手段２０９は、ステップＳ２０７で検出された、他の回線網経由で相手先の通信装置と接続するための電話番号を示す情報に基づいて網切替制御を実行する（Ｓ２０８）。
【００６４】
ここで、本発明の第２の実施の形態の通信アダプタ制御方法は、相手先の通信機器と接続されている状態で、回線網の障害を検出したときに他の回線網経由で再接続するが、相手先の通信機器との接続が要求されたときに、相手先の通信機器と接続するための回線網に障害があるか否かを判定し、上記回線網に障害があると判定した場合、上記網切替制御によって他の回線網経由で相手先の通信機器と接続するのでもよい。
【００６５】
以上説明したように、本発明の第２の実施の形態の通信アダプタおよびその制御方法は、回線網に障害があるか否かを検出し、回線網に障害が検出されたときに、他の回線網経由で相手の通信機器と再接続し、少なくとも他の回線網経由で相手の通信機器と再接続した旨を表示手段に表示させるため、回線網を切り替えて接続されている状態であることを発呼した利用者に確認させることが可能である。
【００６６】
【発明の効果】
以上説明したように、本発明は、相手先の通信機器と接続した後に現在利用している回線網の種類を発呼した利用者に確認させることが可能な通信アダプタおよびその制御方法を提供することができるものである。
【図面の簡単な説明】
【図１】本発明の第１の実施の形態の通信アダプタの概略のブロック構成を示す図
【図２】本発明の第１の実施の形態の通信アダプタを用いた通信形態例の概略のブロック構成を示す図
【図３】本発明の第１の実施の形態の通信アダプタおよび本発明の第２の実施の形態の通信アダプタの表示手段の表示例を示す図
【図４】本発明の第１の実施の形態の通信アダプタ制御方法における処理の流れを示すフローチャート
【図５】本発明の第２の実施の形態の通信アダプタの概略のブロック構成を示す図
【図６】本発明の第２の実施の形態の通信アダプタ制御方法における処理の流れを示すフローチャート
【図７】従来の通信アダプタの概略のブロック構成を示す図
【符号の説明】
１０　通信機器
１００、２００、７１０　通信アダプタ
１０１　通信機器制御手段
１０２　コーデック手段
１０３　通信制御手段
１０４　回線網選択手段
１０５、２０５　記憶手段
１０６、２０６　表示手段
１０７　操作手段
１０８　通信手段
２０９　発呼経路切替手段
２１０　回線網状態判定手段
６２０　回線終端装置
６３０　交換局
６４０　インターネットサービスプロバイダ
６５０　専用インターネット網
６６０　一般加入電話網
６７０　携帯電話網
７１１　受信手段
７１２　ダイヤル手段
７１３　送信手段
７２０　電話機
７３０　一般加入電話網
７４０　サーバ
７５０　インターネット網
【図１】
2004032288.tif 000003
【図２】
2004032288.tif 000004
【図３】
2004032288.tif 000005
【図４】
2004032288.tif 000006
【図５】
2004032288.tif 000007
【図６】
2004032288.tif 000008
【図７】
2004032288.tif 000009